【手続補正書】
【提出日】平成15年10月22日(2003.10.22)
【手続補正１】
【補正対象書類名】明細書
【補正対象項目名】特許請求の範囲
【補正方法】変更
【補正の内容】
【特許請求の範囲】
【請求項１】
情報機器が、電子透かしの形態を有するＵＲＬ(Uniform Resource Locator)を含んだ画像を読み取るステップと、
前記情報機器が、前記画像をサーバに送信するステップと、
前記サーバが、前記画像から前記電子透かしを抽出して、前記ＵＲＬを取得するステップと、
前記サーバが、前記ＵＲＬを前記情報機器に送信するステップと、
を有することを特徴とするホームページアクセス方法。
【請求項２】
請求項１に記載のホームページアクセス方法において、
前記情報機器が、前記ＵＲＬを有するホームページの要求をＷＷＷ(World Wide Web)サーバに送信するステップと、
前記ＷＷＷサーバが、前記情報機器に前記ホームページを送信するステップと、
を更に有することを特徴とするホームページアクセス方法。
【請求項３】
電子透かしの形態を有するＵＲＬ(Uniform Resource Locator)を含んだ画像を読み取る手段と、
前記画像をサーバに送信する手段と、
前記サーバにより前記画像から取得されたＵＲＬを受信する手段と、
を備えることを特徴とする情報機器。
【請求項４】
電子透かしの形態を有するＵＲＬ(Uniform Resource Locator)を含んだ画像を情報機器から受信する手段と、
前記画像から前記電子透かしを抽出して、前記ＵＲＬを取得する手段と、
前記ＵＲＬを前記情報機器に送信する手段と、
を備えることを特徴とするサーバ。
【請求項５】
電子透かしの形態を有するＵＲＬ(Uniform Resource Locator)を含んだ画像を印刷した印刷物。
【請求項６】
情報機器が、電子透かしの形態を有するＵＲＬ(Uniform Resource Locator)を含んだ画像を読み取るステップと、
前記情報機器が、前記画像をサーバに送信するステップと、
前記サーバが、前記画像から前記電子透かしを抽出するステップと、
前記サーバが、前記電子透かしに対応したクーポン券の画像を前記情報機器に送信するステップと、
を有することを特徴とするクーポン券発行方法。
【請求項７】
請求項６に記載のクーポン券発行方法において、
前記情報機器が、前記クーポン券の画像を画面に表示するステップを更に有することを特徴とするクーポン券発行方法。
【請求項８】
請求項７に記載のクーポン券発行方法において、
前記情報機器が、前記クーポン券の画像を前記画面から消去するステップを更に有することを特徴とするクーポン券発行方法。
【請求項９】
請求項６に記載のクーポン券発行方法において、
前記情報機器が、前記クーポン券の画像を内蔵メモリに書き込むステップと、
前記情報機器が、前記クーポン券の画像を前記内蔵メモリから読み出すステップと、
前記情報機器が、前記クーポン券の画像を画面に表示するステップと、
を更に有することを特徴とするクーポン券発行方法。
【請求項１０】
請求項９に記載のクーポン券発行方法において、
前記情報機器が、前記クーポン券の画像を前記画面と前記内蔵メモリから消去するステップを更に有することを特徴とするクーポン券発行方法。
【請求項１１】
請求項６に記載のクーポン券発行方法において、
前記サーバが、受信した画像に含まれる電子透かしとその画像を送信した情報機器の組を登録するステップと、
前記サーバが、受信した画像に含まれる電子透かしとその画像を送信した情報機器の組が登録された電子透かしと情報機器の組であれば、その情報機器に対しては前記クーポン券の画像の送信を中止するステップと、
を更に有することを特徴とするクーポン券発行方法。
【請求項１２】
電子透かしの形態を有するＵＲＬ(Uniform Resource Locator)を含んだ画像を読み取る手段と、
前記画像をサーバに送信する手段と、
前記電子透かしに対応したクーポン券の画像を前記サーバから受信する手段と、
を備えることを特徴とする情報機器。
【請求項１３】
電子透かしの形態を有するＵＲＬ(Uniform Resource Locator)を含んだ画像を情報機器から受信する手段と、
前記画像から前記電子透かしを抽出する手段と、
前記電子透かしに対応するクーポン券の画像を前記情報機器に送信する手段と、
を備えることを特徴とするサーバ。
【請求項１４】
情報機器が、電子透かしを含んだ画像を読み取るステップと、
前記情報機器が、前記画像をサーバに送信するステップと、
前記サーバが、前記画像から前記電子透かしを抽出して、該電子透かしを基にＵＲＬ(Uniform Resource Locator)を取得するステップと、
前記サーバが、前記ＵＲＬを前記情報機器に送信するステップと、
を有することを特徴とするホームページアクセス方法。
【請求項１５】
請求項１４に記載のホームページアクセス方法において、
前記情報機器が、前記ＵＲＬを有するホームページの要求をＷＷＷ(World Wide Web)サーバに送信するステップと、
前記ＷＷＷサーバが、前記情報機器に前記ホームページを送信するステップと、
を更に有することを特徴とするホームページアクセス方法。
【請求項１６】
電子透かしを含んだ画像を読み取る手段と、
前記画像をサーバに送信する手段と、
前記サーバにより前記画像から抽出された電子透かしを基に取得されたＵＲＬを受信する手段と、
を備えることを特徴とする情報機器。
【請求項１７】
電子透かしの形態を含んだ画像を情報機器から受信する手段と、
前記画像から前記電子透かしを抽出して、該電子透かしを基にＵＲＬ(Uniform Resource Locator)を取得する手段と、
前記ＵＲＬを前記情報機器に送信する手段と、
を備えることを特徴とするサーバ。
【請求項１８】
ＵＲＬ(Uniform Resource Locator)に対応するコードを電子透かしの形態で含んだ画像を印刷した印刷物。
【請求項１９】
情報機器が、電子透かしを含んだ画像を読み取るステップと、
前記情報機器が、前記画像をサーバに送信するステップと、
前記サーバが、前記画像から前記電子透かしを抽出するステップと、
前記サーバが、前記電子透かしに対応したクーポン券の画像を前記情報機器に送信するステップと、
を有することを特徴とするクーポン券発行方法。
【手続補正２】
【補正対象書類名】明細書
【補正対象項目名】０００３
【補正方法】変更
【補正の内容】
【０００３】
【発明が解決しようとする課題】
しかし、パーソナルコンピュータ、携帯端末等の情報機器でホームページにアクセスするためには、利用者が原始的にはアクセスしようとするホームページのＵＲＬ(Uniform Resource Locator)をパーソナルコンピュータ、携帯端末等に入力しなければならなかった。また、ハイパーリンクを辿って次々と新たなホームページにアクセスすることができるが、最初にアクセスするホームページはそのＵＲＬを入力することによりアクセスしなければならない。


【手続補正３】
【補正対象書類名】明細書
【補正対象項目名】０００９
【補正方法】変更
【補正の内容】
【０００９】
【課題を解決するための手段】
本発明の第１の観点によれば、情報機器が、電子透かしの形態を有するＵＲＬ(Uniform Resource Locator)を含んだ画像を読み取るステップと、前記情報機器が、前記画像をサーバに送信するステップと、前記サーバが、前記画像から前記電子透かしを抽出して、前記ＵＲＬを取得するステップと、前記サーバが、前記ＵＲＬを前記情報機器に送信するステップと、を有することを特徴とするホームページアクセス方法が提供される。


【手続補正４】
【補正対象書類名】明細書
【補正対象項目名】００１１
【補正方法】変更
【補正の内容】
【００１１】
本発明の第２の観点によれば、電子透かしの形態を有するＵＲＬ(Uniform Resource Locator)を含んだ画像を読み取る手段と、前記画像をサーバに送信する手段と、前記サーバにより前記画像から取得されたＵＲＬを受信する手段と、を備えることを特徴とする情報機器が提供される。


【手続補正５】
【補正対象書類名】明細書
【補正対象項目名】００１２
【補正方法】変更
【補正の内容】
【００１２】
本発明の第３の観点によれば、電子透かしの形態を有するＵＲＬ(Uniform Resource Locator)を含んだ画像を情報機器から受信する手段と、前記画像から前記電子透かしを抽出して、前記ＵＲＬを取得する手段と、前記ＵＲＬを前記情報機器に送信する手段と、を備えることを特徴とするサーバが提供される。


【手続補正６】
【補正対象書類名】明細書
【補正対象項目名】００１３
【補正方法】変更
【補正の内容】
【００１３】
本発明の第４の観点によれば、電子透かしの形態を有するＵＲＬ(Uniform Resource Locator)を含んだ画像を印刷した印刷物が提供される。


【手続補正７】
【補正対象書類名】明細書
【補正対象項目名】００１４
【補正方法】変更
【補正の内容】
【００１４】
本発明の第５の観点によれば、情報機器が、電子透かしの形態を有するＵＲＬ(Uniform Resource Locator)を含んだ画像を読み取るステップと、前記情報機器が、前記画像をサーバに送信するステップと、前記サーバが、前記画像から前記電子透かしを抽出するステップと、前記サーバが、前記電子透かしに対応したクーポン券の画像を前記情報機器に送信するステップと、を有することを特徴とするクーポン券発行方法が提供される。


【手続補正８】
【補正対象書類名】明細書
【補正対象項目名】００２０
【補正方法】変更
【補正の内容】
【００２０】
本発明の第６の観点によれば、電子透かしの形態を有するＵＲＬ(Uniform Resource Locator)を含んだ画像を読み取る手段と、前記画像をサーバに送信する手段と、前記電子透かしに対応したクーポン券の画像を前記サーバから受信する手段と、を備えることを特徴とする情報機器が提供される。


【手続補正９】
【補正対象書類名】明細書
【補正対象項目名】００２１
【補正方法】変更
【補正の内容】
【００２１】
本発明の第７の観点によれば、電子透かしの形態を有するＵＲＬ(Uniform Resource Locator)を含んだ画像を情報機器から受信する手段と、前記画像から前記電子透かしを抽出する手段と、前記電子透かしに対応するクーポン券の画像を前記情報機器に送信する手段と、を備えることを特徴とするサーバが提供される。